(57)【要約】【課題】公知の変形性膝関節症矯正用履物は、Ｏ脚の膝部分の矯正とアキレス腱の強化との両方を同時に実施不可能で履物が重く、外反母趾の矯正が出来ない。【解決手段】この発明に係る変形性膝関節症矯正用履物は、底材表面の長手方向左右幅で内側に５度の傾斜角度を、長手方向のヒールから爪先に向かって２０度の傾斜角度を夫々形成して爪先上がりとし、該爪先面に石英斑岩（遠赤外線放射エネルギーとマイナスイオン発生活性石）粉末を塗布し、該底材に直径９ｍｍの垂直穴を平均３ｍｍの間隔で約６０個を形成して軽量化し、外反母趾の矯正も可能で且つ該履物の先端近くに先端に咬合子を有するベルトを設けて成る。【選択図】図４
2004242988.tif 000002
【特許請求の範囲】
【請求項１】
履物本体の底材表面の長手方向にヒールから所要角度の傾斜を形成して爪先上がりとし、左右幅で内側から外側に向かって所要角度の傾斜を形成し、該底材表面からその底面近くまで所要間隔で所要直径の垂直穴を形成し、該底材表全面に石英斑石（遠赤外線放射エネルギーとマイナスイオンを発生する活性石）粉末を塗布して石英斑石粉末層を形成し、足のヒールと両側に被覆部を設けて前開きとし、該履物の先端近くに該履物の先端近くに先端に咬合子を有するベルトを設けて成る変形性膝関節症矯正用履物。
【請求項２】
該底材表面の長手方向にヒールから約２０度の傾斜を形成して爪先上がりとし、長手方向の左右幅で内側から外側に向かって約５度の傾斜を形成して成る請求項１記載の変形性膝関節症矯正用履物。
【請求項３】
該底材表面の各垂直穴の直径を９ｍｍ、その間隔を平均３ｍｍとし、約６０個を該底材表面からその底材底面５ｍｍ近くまで形成した請求項１記載の変形性膝関節症矯正用履物。
【請求項４】
該石英斑石粉末の粒径を５μとし、塗布される該石英斑石粉末層の厚みを０．５ｍｍとして成る請求項１記載の変形性膝関節症矯正用履物。
【請求項５】
履物本体の底材表面の長手方向にヒールから所要角度の傾斜を形成して爪先上がりとし、左右幅で内側から外側に向かって所要角度の傾斜を形成し、該底材表面からその底面近くまで所要間隔で所要直径の垂直穴を形成し、該底材表全面に石英斑石（遠赤外線放射エネルギーとマイナスイオンを発生する活性石）粉末を塗布して石英斑石粉末層を形成し、該履物の先端近くに咬合子を有するベルトを設けて外反母趾や内反小指の原因となる中足関節の弛みを締め、該底材表面の先端部近くで足の親指と第２指の対応個所の所要直径と深さの垂直穴内に外反母趾矯正用柔軟円筒体の下端を着脱自在に嵌合して親指と第２指を押圧する事を特徴とする変形性膝関節症外反母趾矯正用履物。
【請求項６】
該底材表面の先端部近くで足の親指と第２指の対応個所に所要直径と高さの柔軟円筒体を垂直に接着して成る請求項５記載の変形性膝関節症外反母趾矯正用履物。
【発明の詳細な説明】
【０００１】
【産業上の利用分野】
この発明は、変形性膝関節症外反母趾矯正用履物に関し、更に詳しくは毎日短時間履くだけで腹筋運動効果により足首、腰、背筋、首筋等日頃使われていない身体の後側の筋肉を伸ばして変形性膝関節症（Ｏ脚）、外反母趾矯正、膝内側の靭帯、アキレス腱、ふくらはぎ等のストレッチングと強化並びにマイナスイオンの発散と遠赤外線効果により足の休息効果とを得る変形性膝関節症外反母趾矯正用履物に関する。
【０００２】
【従来の技術】
Ｏ脚の矯正用履物としては、既に変形性膝関節症患者用の履物（特開平８−９８７０１号）、あべこべシュ−ズ（特開２００１−２９９４０５）等が提案されている。
【０００３】
【発明が解決しようとする課題】
女性は、運動不足、生活習慣等から身体の後側特に脚の後側の筋肉、即ち大殿筋、大腿二頭筋、腓腹筋（ふくらはぎ）、平目筋及びアキレス腱等の退化によりＯ脚となることが多く、医学的には成長期の間にそれを矯正しないとＯ脚が一生治らないと言われている。
【０００４】
Ｏ脚となれは、膝の内側に負担がかかり、（１）変形性膝関節症を起こして痛みを生じ、（２）骨格に歪みを生じるから、肩こり、腰痛の原因となり、（３）足の後筋肉の衰えにより猫背にもなり易すい。
【０００５】
変形性関節症患者用の履物（特開平８−９８７０１号）は、底材は、該底材前部領域と底材後部領域とから成り、該底材前部領域に於ける該底材の厚さは、前端が薄くなるように形成され、該底材後部領域は膝関節の罹患側が低くなる様にヒトの足に接する表面が左右に傾斜するとともに、表面の高さが過重を受けて降下するように弾性材によって被圧縮変形可能に形成されている。
【０００６】
しかしこの変形性膝関節症患者用の履物は、膝関節の罹患側が低くなる様にヒトの足に接する表面が左右に傾斜するだけであるから、肝心の足裏側のアキレス腱等筋肉強化やストレッチング効果が得られない。
【０００７】
他方あべこべシュ−ズ（特開２００１−２９９４０５）は、Ｏ脚の膝部分の矯正には全く効果がなく、しかも爪先に足を固定するためのベルトがあるから足の大小によっては履けない場合があり、その使用が制限され、十分な健康増進効果が得られない。
【０００８】
又公知の変形性膝関節症患者用の履物は足の甲が固定され、ヒールと履物の底が自由に動くのでＯ脚の矯正には充分でなかった。
【０００９】
【課題を解決するための手段】
この発明は、前述の変形性膝関節症患者用履物の問題点を解決するものであり、その第１要旨は、履物本体の底材表面の長手方向にヒールから所要角度の傾斜を形成して爪先上がりとし、左右幅で内側から外側に向かって所要角度の傾斜を形成し、該底材表面からその底面近くまで所要間隔で所要直径の垂直穴を形成し、該底材表全面に石英斑石（遠赤外線放射エネルギーとマイナスイオンを発生する活性石）粉末を塗布して石英斑石粉末層を形成し、足のヒールと両側に被覆部を設けて前開きとし、該履物の先端近くに咬合子を有するベルト及び外反母趾矯正用柔軟円筒体とを有する変形性膝関節症矯正用履物である。
【００１０】
その第２要旨は、底材表面の長手方向にヒールから約２０度の傾斜を形成して爪先上がりとし、長手方向の左右幅で内側から外側に向かって約５度の傾斜を形成して成る変形性膝関節症矯正用履物である。
【００１１】
その第３要旨は、底材表面の各垂直穴の直径を９ｍｍ、その間隔を平均３ｍｍとし、約６０個を該底材表面からその底材底面５ｍｍ近くまで形成した変形性膝関節症矯正用履物である。
【００１２】
その第４要旨は、石英斑石粉末の粒径を５μとし、塗布される該石英斑石粉末層の厚みを０．５ｍｍとして成る変形性膝関節症矯正用履物である。
【００１３】
その第５要旨は、履物本体の底材表面の長手方向にヒールから所要角度の傾斜を形成して爪先上がりとし、左右幅で内側から外側に向かって所要角度の傾斜を形成し、該底材表面からその底面近くまで所要間隔で所要直径の垂直穴を形成し、該底材表全面に石英斑石（遠赤外線放射エネルギーとマイナスイオンを発生する活性石）粉末を塗布して石英斑石粉末層を形成し、該履物の先端近くに咬合子を有するベルトを設けて外反母趾や内反小指の原因となる中足関節の弛みを締め、該底材表面の先端部近くで足の親指と第２指の対応個所の所要直径と深さの垂直穴内に外反母趾矯正用柔軟円筒体の下端を着脱自在に嵌合して親指と第２指を押圧する事を特徴とする変形性膝関節症外反母趾矯正用履物である。
【００１４】
その第６要旨は、該底材表面の先端部近くで足の親指と第２指の対応個所に所要直径と高さの柔軟円筒体を垂直に接着して成る変形性膝関節症外反母趾矯正用履物である。
【００１５】
【発明の実施の態様】
この発明に係る変形性膝関節症外反母趾矯正用履物をサンダルに実施した例について説明する。該サンダルは、爪先上がりの底材と、底材表面からその底面近くまで所要間隔で所要直径の多数の垂直穴を形成し、該底材表面を内側に傾斜し、該底材表全面に石英斑石粉末を塗布し、該履物の先端近くに先端に咬合子を有するベルトを設けて外反母趾や内反小指の原因となる中指関節の弛みを締め、該底材表面先端部近くで足の親指と第２指の対応個所に反母趾矯正用柔軟円筒体を設けて親指と第２指を押圧する事を特徴とする変形性膝関節症外反母趾矯正用履物である。
側に被覆部を設けて前開きとし、該履物の先端に咬合子を有するベルト及び外反母趾矯正用柔軟円筒体とを有する変形性膝関節症外反母趾矯正用履物である。
【００１６】
【実施例】
図１〜６で請求項１記載の発明に係る変形性膝関節症矯正用履物（サンダル）１０は、足裏に対応する形状を有し、足のヒールから爪先上がりの底材１２と、足のヒールと両側とに被覆部１４を設けて前開きとし、該履物１０の先端近くに先端に咬合子１６ａを有するベルト１６とから成る。
【００１７】
図４に示す通り具体的には該履物本体１０の該底材表面１２ａの長手方向に所要角度例えば約２０度の傾斜を形成して爪先上がりとし、図５に示す通り、左右幅で内側から外側に向かって所要角度例えば約５度の傾斜を形成したので足の重心Ｃが内側Ｃ’に移動し、通常余り使用しない足の内側の内転筋への収縮情報を伝え、内側への引き締め効果を得る。
【００１８】
図４で、請求項３に於いて、該底材表面１２ａからその底面近くまで夫々９ｍｍの直径を有する各垂直穴１２ｆ・・・を平均３ｍｍの間隔を置いて該底材底面１２ｂから５ｍｍ近くまで約６０個を形成して軽量化した変形性膝関節症矯正用履物１０とする。
【００１９】
図２、７〜９で、請求項４に於いて遠赤外線放射エネルギーとマイナスイオンとを発生する粒径５μの石英斑石粉末をポリ塩化ビニール樹脂製接着剤により該底材表面１２ａに塗布し、自然乾燥して厚み０．５ｍｍの石英斑石粉末層１２ｄを形成する。
【００２０】
該石英斑石粉末の主成分と他の石材との比較を次の表に示す。
2004242988.tif 000003
【００２１】
前述の表から該石英斑石は、他の天然石よりはるかに大きい９６．７％の遠赤外線放射率と強力なマイナスイオンを発生させることが明瞭である。
【００２２】
図６、８で、請求項５に於いて、該履物１０の先端近くに該ベルト１６を設けたので外反母趾やや内反小指の原因となる中指関節の弛みを締め、該底材表面１２ａの先端部近くで足の親指と第２指の対応個所に所要直径と深さの垂直穴１２ｃを穿設し、該垂直穴１２ｃ内に外反母趾矯正用合成絹糸、スポンジ等の柔軟円筒体１８の下端を着脱自在に嵌合し、親指と第２指を押圧して外反母趾を矯正する。
【００２３】
図９に於いて、請求項６の変形性膝関節症外反母趾矯正用履物１０の該底材表面１２ａ先端部近くで足の親指と第２指の対応個所に所要直径と高さの柔軟円筒体１８ａを所要の強力な接着剤１２ｅにより垂直に接着する。
【００２４】
【発明の作用】
この発明に係る変形性膝関節症矯正用履物１０を左右の足に着用し、咬合子１６ａを有するベルト１６により夫々固定し、垂直に立ちその場で足踏みをし、又は歩くことにより両足を該履物本体１０の長手方向に爪先上がり状態となり、同時に長手方向に対して該履物本体１０の内側を傾斜させて両膝の内側に接触又は近づけてＯ脚を矯正する。
【００２５】
図６、８、９に示す通り請求項５、６の変形性膝関節症外反母趾矯正用履物矯正用履物１０は、該底材表面１２ａ先端部近くの柔軟な円筒体１８、１８ａが親指と第２指とを押圧して広げるから下駄やサンダルの鼻緒の機能をして外反母趾を矯正する。
【００２６】
【発明の効果】
（１）前述の通り、この変形性膝関節症矯正用履物１０を履けば、両足がヒールから約２０度の傾斜で爪先上がりとなり、身体後側のアキレス腱等の筋肉をストレッチングして強化し、両足が内側から外側に向かって約５度で傾斜するから体重により両膝が自然に内側に導かれる。その結果膝に変形負荷が生じ、膝内側の靭帯が伸びて軟骨の変形が生じ、過度の負荷が膝の損傷を阻止するため該履物１０の両足がヒールから約２０度の傾斜で爪先上がりとなり、従って膝内側と裏側の靭帯が伸びて外側靭帯と十字靭帯は休み、Ｏ脚が無理なく矯正される。
【００２７】
（２）同時に背筋が伸び、背骨が身体の後側の筋肉を伸ばし、該底材表面１２ａからその底面近くまで夫々９ｍｍの直径を有する該垂直穴１２ｆ・・・を平均３ｍｍの間隔を置いて該底材底面１２ｂから５ｍｍ近くまで約６０個を形成したので該履物１０が軽量化され、着用しても使用者が全く疲れない。
【００２８】
（３）該底材表面１２ａに遠赤外線放射エネルギーとマイナスイオンとを発生する石英斑石粉末層を形成したので足裏に接すの休息効果を得る事が出来る。
【００２９】
（４）該履物の被覆部１４の先端近くに先端に咬合子１６ａを有するベルト１６を設け、該被覆部１４を前開としたので足の大小に関係なく着用可能となる。
【００３０】
（５）該履物１０は、ヒールから約２０度で爪先上がり（トゥアップ）となっているから平地を歩いても坂道を登るのと同様の負荷が下半身にかかってエネルギーを消費するので全身のシェイプアップと鍛錬にも役立つ。
【００３１】
（６）該底材表面１２ａの先端部近くに外反母趾矯正用合成絹糸、スポンジ等の柔軟な円筒体１８を足の親指と第２指の対応個所に所要直径と深さの垂直穴１２ｃを穿設し該垂直穴１２ｃ内に外反母趾矯正用合成絹糸、スポンジ等の柔軟な円筒体１８の下端を着脱自在に嵌合して成り、足の親指と第２指とを押圧してこれら指を開き、外反母趾を矯正する。
そして外反母趾症でない場合は、該円筒体１８を容易に取り外すことが出来る。
【００３２】
（７）同時に図１０に示す通り、該履物１０を履いた足裏体重の部位の変化を図式化した略図であり、通常は足裏の前端部Ｆと後端部Ｒとで体重を支えその中心Ｃが重心となるが、該履物１０によれば左右傾斜と前後傾斜とが同時に得られるので重心ＣがＣ’方向に移動して変形性膝関節症、外反母趾、骨格の歪の矯正、アキレス腱等の筋肉のストレッチング強化、ムクミ、下半身ダイエット等の効果も得られる。
【図面の簡単な説明】
【図１】は、この発明に係る変形性膝関節症矯正用履物の一足の斜視図。
【図２】は、図１に示す左側の履物の咬合子を有するベルトを部分的に剥がしている状態を示す略斜視図。
【図３】は、図２の右側面図。
【図４】は、図３の履物を履いた一部透視部分断面略図。
【図５】は、図４の履物を履いた右足の部分正面略図。
【図６】は、図５に示す他の実施例で外反母趾矯正用ソフト円筒体を親指と第２指間に挟んだ状態を示す部分正面略図。
【図７】は、底材表面に塗布した石英斑石粉末層を示す部分拡大平面略図である。
【図８】は、図６の他の実施例で外反母趾矯正用ソフト円筒体を底材表面の先端近くに穿設した嵌合穴に嵌合する状態を示す一部斜視部分平面略図。
【図９】は、図８の他の実施例で外反母趾矯正用ソフト円筒体を底材表面の先端近くに垂直に接着する状態を示す一部斜視部分平面略図。
【図１０】は、この発明に係る変形性膝関節症矯正用履物を履いた足裏の体重を支える重心の移動の変位状態を示す略図。
【図１１】は、この発明に係る変形性膝関節症矯正用履物を履いた女性が直立し、両足が爪先上がりとなり、脚の後側の大殿筋、大腿二頭筋、腓腹筋、平目筋及びアキレス腱等の筋肉がストレッチングされ、強化されている状態を模式的に示す略図。
【符号の説明】
１０      変形性膝関節症外反母趾矯正用履物；
１２      底材；
１２ａ    底材表面；
１２ｂ    底材底面；
１２ｃ    垂直穴；
１２ｄ    石英斑石粉末層；
１２ｅ    接着剤；
１２ｆ    垂直穴；
１４      被覆部；
１６      ベルト；
１６ａ      咬合子；
１８、１８ａ    柔軟な円筒体。
【図１】
2004242988.tif 000004
【図２】
2004242988.tif 000005
【図３】
2004242988.tif 000006
【図４】
2004242988.tif 000007
【図５】
2004242988.tif 000008
【図６】
2004242988.tif 000009
【図７】
2004242988.tif 000010
【図８】
2004242988.tif 000011
【図９】
2004242988.tif 000012
【図１０】
2004242988.tif 000013
【図１１】
2004242988.tif 000014
【手続補正書】
【提出日】平成15年3月31日(2003.3.31)
【手続補正１】
【補正対象書類名】明細書
【補正対象項目名】特許請求の範囲
【補正方法】変更
【補正の内容】
【特許請求の範囲】
【請求項１】
履物本体の底材表面の長手方向にヒールから所要角度の傾斜を形成して爪先上がりとし、左右幅で内側から外側に向かって所要角度の傾斜を形成し、該底材表面からその底面近くまで所要間隔で所要直径の垂直穴を形成し、該底材表全面に石英斑石（遠赤外線放射エネルギーとマイナスイオンを発生する活性石）粉末を塗布して石英斑石粉末層を形成し、足のヒールと両側に被覆部を設けて前開きとし、該履物の先端近くに先端に咬合子を有するベルトを設けて成る変形性膝関節症矯正用履物。
【請求項２】
該底材表面の長手方向にヒールから約２０度の傾斜を形成して爪先上がりとし、長手方向の左右幅で内側から外側に向かって約５度の傾斜を形成して成る請求項１記載の変形性膝関節症矯正用履物。
【請求項３】
該底材表面の各垂直穴の直径を９ｍｍ、その間隔を平均３ｍｍとし、約６０個を該底材表面からその底材底面５ｍｍ近くまで形成した請求項１記載の変形性膝関節症矯正用履物。
【請求項４】
該石英斑石粉末の粒径を５μとし、塗布される該石英斑石粉末層の厚みを０．５ｍｍとして成る請求項１記載の変形性膝関節症矯正用履物。
【請求項５】
履物本体の底材表面の長手方向にヒールから所要角度の傾斜を形成して爪先上がりとし、左右幅で内側から外側に向かって所要角度の傾斜を形成し、該底材表面からその底面近くまで所要間隔で所要直径の垂直穴を形成し、該底材表全面に石英斑石（遠赤外線放射エネルギーとマイナスイオンを発生する活性石）粉末を塗布して石英斑石粉末層を形成し、該履物の先端近くに咬合子を有するベルトを設けて外反母趾や内反小指の原因となる中足関節の弛みを締め、該底材表面の先端部近くで足の親指と第２指の対応個所の所要直径と深さの垂直穴内に外反母趾矯正用柔軟円筒体の下端を着脱自在に嵌合して親指と第２指を押圧する事を特徴とする変形性膝関節症外反母趾矯正用履物。
【請求項６】
該底材表面の先端部近くで足の親指と第２指の対応個所に所要直径と高さの柔軟円筒体を垂直に接着して成る請求項５記載の変形性膝関節症外反母趾矯正用履物。
【手続補正２】
【補正対象書類名】明細書
【補正対象項目名】０００４
【補正方法】変更
【補正の内容】
【０００４】
Ｏ脚となれば、膝の内側に負担がかかり、（１）変形性膝関節症を起こして痛みを生じ、（２）骨格に歪みを生じるから、肩こり、腰痛の原因ともなり、（３）足の後筋肉の衰えにより猫背にもなり易すい。


【手続補正３】
【補正対象書類名】明細書
【補正対象項目名】０００５
【補正方法】変更
【補正の内容】
【０００５】
変形性関節症患者用の履物（特開平８−９８７０１号）に於いては、底材は、底材前部領域と底材後部領域とから成り、該底材前部領域に於ける該底材の厚みは、前端が薄くなるように形成され、該底材後部領域は膝関節の罹患側が低くなる様にヒトの足に接する表面が左右に傾斜するとともに、表面の高さが過重を受けて降下するように弾性材によって被圧縮変形可能に形成されている。


【手続補正４】
【補正対象書類名】明細書
【補正対象項目名】００１５
【補正方法】変更
【補正の内容】
【００１５】
【発明の実施の態様】
この発明に係る変形性膝関節症、外反母趾矯正用履物をサンダルに実施した例について説明する。該サンダルは、爪先上がりの底材と、底材表面からその底面近くまで所要間隔で所要直径の多数の垂直穴を形成し、該底材表面を内側に傾斜し、該底材表全面に爪先面に石英斑石粉末を塗布し、該履物の先端近くに咬合子を有するベルトを設けて外反母趾や内反小指の原因となる中足関節の弛みを締め、該底材表面の先端部近くで足の親指と第２指の対応個所に外反母趾矯正用柔軟円筒体を設けて親指と第２指を押圧する事を特徴とする変形性膝関節症外反母趾矯正用履物である。
【手続補正５】
【補正対象書類名】明細書
【補正対象項目名】００１８
【補正方法】変更
【補正の内容】
【００１８】
図４に示す請求項３に於いて、該底材表面１２ａからその底面近くまで夫々９ｍｍの直径を有する各垂直穴１２ｆ・・・を平均３ｍｍの間隔を置いて該底材底面１２ｂから５ｍｍ近くまで約６０個を形成して軽量化した変形性膝関節症矯正用履物１０とする。